(57)【要約】ペットのリーシュ装置であって、それは、ハウジング１０と、巻き取りホイール２０と、リーシュコード３０と、更にロック機構を含み、ロック機構は、ボタン４０１と、操作部材４０２と、第１バネ４０３と、係合部材４０４とを備えている。操作部材４０２は、順番に接続されている横断部４０２１と、縦長部４０２２とを備えている。ボタン４０１の下部は、横断部４０２１にヒンジ結合されていて、縦長部４０２２は、係合部材４０４の一端にヒンジ結合されていて、第１バネ４０３は、横断部４０２１と係合部材４０４の車輪係合部４０４１との間に位置して、巻き取りホイール２０は、ボタン４０１が押されたら係合部材４０４を係合するための歯状溝を設けて、また巻き取りホイール２０の内部は、巻き取りホイール２０を回転させてリーシュコード３０を引き込めるためのトーションスプリングを設ける。ボタン４０１が押されてから、係合部材４０４が巻き取りホイール２０の歯状溝に係合されているため、巻き取りホイール２０を反時計回りに回転させることができず、この時、巻き取りホイール２０の内部にあるトーションスプリングが反動しているため、巻き取りホイール２０を時計方向に回転させてリーシュコード３０を引き込めることができて、ボタン４０１が離されるとボタンは自動的にリセットされてフリー状態に戻り、この時、リーシュコード３０を引き出すことができる。 【選択図】図１
2019521714.tif 000002
【特許請求の範囲】
【請求項１】
ペットのリーシュ装置であって、それは、ハウジングと、巻き取りホイールと、リーシュコードとを含み；
ロープ出口孔がハウジングの上に配置されて、巻き取りホイールがハウジングの内部に配置されて、リーシュコードが巻き取りホイールに巻かれ、ロープ出口孔を介してハウジングから取り出されており；
ペットのリーシュ装置は、更にロック機構を含み、そのロック機構は、ボタンと、操作部材と、第１バネと、係合部材とを備えており；
操作部材は、順番に接続されている横断部と、縦長部とを備えて、ボタンの下部は、横断部にヒンジ結合されていて、縦長部は、係合部材の一端にヒンジ結合されていて、第１バネは、横断部と係合部材の車輪係合部との間に位置して、巻き取りホイールは、ボタンが押されたら係合部材を係合するための歯状溝を設けて、また巻き取りホイールの内部は、巻き取りホイールを回転させてリーシュコードを引き込めるためのトーションスプリングを設けることを特徴とする、ペットのリーシュ装置。
【請求項２】
ボタンの中下部に段差部が設けられて、ハウジングに段差部に係合される突起部が設けられていることを特徴とする請求項１にペットのリーシュ装置。
【請求項３】
ハウジングにボタンを取り付けるための取付孔が設けられており、取付孔の開口がボタンの外径よりも大きいことを特徴とする請求項２にペットのリーシュ装置。
【請求項４】
縦長部に第２のバネが設けられて、第２のバネが、係合部材と横断部との間に位置することを特徴とする請求項１にペットのリーシュ装置。
【請求項５】
ロック機構は、また操作部材を備えて、第１バネは、操作部材に設けられて、操作部材の一端が横断部と接続して、操作部材のほかの一端が係合部材と接続することを特徴とする請求項１にペットのリーシュ装置。
【請求項６】
巻き取りホイールがハウジングの中心軸上に配置されることを特徴とする請求項１にペットのリーシュ装置。
【請求項７】
ハウジングの一方の側部が、一体成型的のハンドル部を備えることを特徴とする請求項１にペットのリーシュ装置。
【請求項８】
ハンドル部が、人間の手に適合した湾曲部を備えることを特徴とする請求項７にペットのリーシュ装置。
【請求項９】
縦長部が係合部材とヒンジに接続するヒンジ孔は、ウエスト孔であることを特徴とする請求項１にペットのリーシュ装置。
【請求項１０】
軟質ゴム部材がハウジングの配置されて、軟質ゴム部材が取付孔の内壁を覆うことを特徴とする請求項３にペットのリーシュ装置。
【発明の詳細な説明】
【技術分野】
【０００１】
本発明は、ペットリトラクタに関し、特に、ペットのリーシュ装置に関する。
【背景技術】
【０００２】
人々の精神的な生活の向上に伴い、ペットは、人々の生活の重要な一部となり、更にペット用品は、ますます豊富になり、従って、ペットリトラクタは、ファッションになっています。ペットリトラクタのリールスイッチを制御する装置は、ペットリトラクタの重要な構造装置であり、直接にペットリトラクタの性能および全体的な美しさを影響する。現在のペットトラクターは、性能、外観、製造コストに多少の欠点がありますが、ボタンの数が多すぎると、ボタンの機能が分かりにくく、操作が複雑で、性能が美しく、組み立てのプロセスが複雑で、生産効率が低く、生産コストが高くなる等の問題があります。したがって、従来技術は、改善される必要がある。   
【発明の開示】
【発明が解決しようとする課題】
【０００３】
先行技術の上記欠点を考慮して、本発明の目的は、リーシュコードを容易に引き延ばしたり、引き込めることができるペットのリーシュ装置を提供する。
【課題を解決するための手段】
【０００４】
上記目的を実現するために、本発明は、以下の技術方案を採用する；
ペットのリーシュ装置であって、それは、ハウジングと、巻き取りホイールと、リーシュコードとを含み、ロープ出口孔がハウジングの上に配置されて、巻き取りホイールがハウジングの内部に配置されて、リーシュコードが巻き取りホイールに巻かれ、ロープ出口孔を介してハウジングから取り出される。本発明のペットのリーシュ装置は、更にロック機構を含み、そのロック機構は、ボタンと、操作部材と、第１バネと、係合部材とを備えている。操作部材は、順番に接続されている横断部と、縦長部とを備えて、ボタンの下部は、横断部にヒンジ結合されていて、縦長部は、係合部材の一端にヒンジ結合されていて、第１バネは、横断部と係合部材の車輪係合部との間に位置して、巻き取りホイールは、ボタンが押されたら係合部材を係合するための歯状溝を設けて、また巻き取りホイールの内部は、巻き取りホイールを回転させてリーシュコードを引き込めるためのトーションスプリングを設ける。
【０００５】
ペットのリーシュ装置では、ボタンの中下部に段差部が設けられて、ハウジングに段差部に係合される突起部が設けられている。
【０００６】
ペットのリーシュ装置では、ハウジングにボタンを取り付けるための取付孔が設けられており、取付孔の開口がボタンの外径よりも大きい。
【０００７】
ペットのリーシュ装置では、縦長部に第２のバネが設けられて、第２のバネが、係合部材と横断部との間に位置する。
【０００８】
ペットのリーシュ装置では、ロック機構は、また操作部材を備えて、第１バネは、操作部材に設けられて、操作部材の一端が横断部と接続して、操作部材のほかの一端が係合部材と接続する。
【０００９】
ペットのリーシュ装置では、巻き取りホイールがハウジングの中心軸上に配置される。
【００１０】
ペットのリーシュ装置では、ハウジングの一方の側部が、一体成型的のハンドル部を備える。
【００１１】
ペットのリーシュ装置では、ハンドル部が、人間の手に適合した湾曲部を備える。
【００１２】
ペットのリーシュ装置では、縦長部が係合部材とヒンジに接続するヒンジ孔は、ウエスト孔である。
【００１３】
ペットのリーシュ装置では、軟質ゴム部材がハウジングの配置されて、軟質ゴム部材が取付孔の内壁を覆う。
【発明の効果】
【００１４】
現有の技術を比べて、本発明のペットのリーシュ装置は、ハウジングと、巻き取りホイールと、リーシュコードと、含み、本発明のペットのリーシュ装置は、更にロック機構を含み、ロック機構は、ボタンと、操作部材と、第１バネと、係合部材とを備えている。操作部材は、順番に接続されている横断部と、縦長部とを備えている。ボタンが押されてから、係合部材が巻き取りホイールの歯状溝に係合されているため、巻き取りホイールを反時計回りに回転させることができず、即ち、巻き取りホイールをを引き出すことはできない、この時、巻き取りホイールの内部にあるトーションスプリングが反動しているため、巻き取りホイールを時計方向に回転させてリーシュコードを引き込める。ボタンが離されると、ボタンは自動的にリセットされてフリー状態に戻り、この時、リーシュコードを引き出すことができる。この製品は、使用が便利で、操作が簡単で、構造が新規で、組み立てにも便利であり、ユーザーに大きな利便性をもたらします。
【図面の簡単な説明】
【００１５】
【図１】本発明に係るペットのリーシュ装置の自由状態を示す概略図である。
【図２】図１のA処を示す拡大図である。
【図３】本発明に係るペットのリーシュ装置のボタンが押されてから、係合部材が巻き取りホイールの歯状溝に係合することを示す概略図である。
【図４】図３のＢ処を示す拡大図である。
【図５】本発明に係るペットのリーシュ装置のリーシュコードを引き込めることを示す概略図である。
【図６】図５のＣ処を示す拡大図である。
【図７】本発明に係るペットのリーシュ装置のボタンが押されて前方にトグルしたことを示す概略図である。
【図８】図７のＤ処を示す拡大図である。
【図９】本発明に係るペットのリーシュ装置の操作部材を示す概略図である。
【図１０】本発明に係るペットのリーシュ装置のボタンを示す概略図である。
【発明を実施するための最良の形態】
【００１６】
先行技術の上記欠点を考慮して、本発明の目的は、リーシュコードを引き延ばしたり、引き込めることができるペットのリーシュ装置を提供して、リーシュコードの引き出した長さを暫くロックすることも可能である。
【００１７】
本発明の目的、技術方案及び効果をはっきり明確させるために、下記は、図面及び実施形態を参照して、本発明をさらに詳細に説明される。ここに記載された具体的な実施形態は、単に本発明の例示であり、本発明を限定するものではないことが理解される。
【００１８】
図１、図２と図９を参照して、本発明のペットのリーシュ装置は、ハウジング１０と、巻き取りホイール２０と、リーシュコード３０を含み、ロープ出口孔（図に示さず）がハウジング１０の上に配置されて、巻き取りホイール２０がハウジング１０の内部に配置されて、リーシュコード３０が巻き取りホイール２０に巻かれ、ロープ出口孔を介してハウジング１０から取り出される。本発明のペットのリーシュ装置は、更にロック機構（図に示さず）を含み、そのロック機構は、ボタン４０１と、操作部材４０２と、第１バネ４０３と、係合部材４０４とを備えている。図９を参照して、操作部材４０２は、順番に接続されている横断部４０２１と、縦長部４０２２とを備えて、ボタン４０１の下部は、横断部４０２１にヒンジ結合されていて、縦長部４０２２は、係合部材４０４の一端にヒンジ結合されていて、第１バネ４０３は、横断部４０２１と係合部材４０４の車輪係合部４０４１との間に位置して、巻き取りホイール２０は、ボタン４０１が押されたら係合部材４０４を係合するための歯状溝２０１を設けて、また巻き取りホイール２０の内部は、巻き取りホイール２０を回転させてリーシュコード３０を引き込めるためのトーションスプリング（図し示さず）を設ける
【００１９】
フリー状態では、リーシュコード３０が自由に引き出すことができて、ボタン４０１が押されてから、係合部材４０４が巻き取りホイール２０の歯状溝２０１に係合されているため、巻き取りホイール２０を反時計回りに回転させることができず、即ち、巻き取りホイール２０をを引き出すことはできない、この時、巻き取りホイール２０の内部にあるトーションスプリングが反動しているため、巻き取りホイール２０を時計方向に回転させてリーシュコード３０を引き込める。ボタン４０１が離されると、ボタン４０１は自動的にリセットされてフリー状態に戻り、この時、リーシュコード３０を引き出すことができる。この製品は、使用が便利で、操作が簡単で、構造が新規で、組み立てにも便利であり、ユーザーに大きな利便性をもたらします。
【００２０】
図２と図１０を参照して、ボタン４０１の中下部に段差部４０１１が設けられて、ハウジング１０に段差部４０１１に係合される突起部１０１が設けられている。図７と図８に示すように、使用時には、ボタン４０１を押してからボタン４０１を前方（図７の矢印の向きのように）にトグルして、ボタン４０１上の段差部４０１１は、ハウジング１０中の突起部１０１と係止ロックして、リーシュコード３０の作用を暫く停止する（即ち、係合部材４０４が巻き取りホイール２０の歯状溝２０１に係合されて、巻き取りホイール２０を回転させることができないこと）ことを達して、暫く停止の機能をキャンセルする必要がある時、ただボタン４０１を押してからボタン４０１を後方にトグルして、ボタン４０１がリセットされて、その時点で再びリーシュコード３０を引き出すことができる。
【００２１】
具体的に、ハウジング１０にボタン４０１を取り付けるための取付孔（図に示さず）が設けられており、取付孔の開口がボタン４０１の外径よりも大きいため、取付孔は、ボタン４０１を前方にトグルさせる空間がある。
【００２２】
図１、図２、図７、図８、図９と図１０に示すように、縦長部４０２２に第２のバネ４０５が設けられて、第２のバネが、係合部材と横断部との間に位置して、ボタン４０１が押されて前方にトグルしていた後、ボタン４０１上の段差部４０１１は、ハウジング１０の突起部１０１に係止ロックして、同時に第２のバネ４０５は、収縮する；ボタン４０１が押されて後方にトグルしていた後、ボタン４０１上の段差部４０１１は、ハウジング１０の突起部１０１から抜け出し、第２のバネ４０５の弾性復元力は、ボタン４０１をリセットされる。
【００２３】
図９に示すよに、更に霊活的に操作するために、縦長部４０２２には、ウエスト孔４０２３を有して、図９に示すよに、ウエスト孔４０２３は、操作部材４０２が上下に摺動する空間を有するために設けられる。
【００２４】
図１、図２、図９と図１０を参照し続き、より具体的に、ロック機構は、さらに、操作レバー４０６を含み、第１バネ４０３は、操作レバー４０６に取付けられて、操作レバー４０６の一端は、横断部４０２１と接続して、操作レバー４０６の他の一端は、係合部材４０４と接続して、或いは、係合部材４０４と係止する。横断部４０２１には、操作レバー４０６が貫通する貫通孔（図に示さず）が設けられて、それによって、ボタン４０１を押すと、横断部４０２１は、自由に回転できており、操作レバー４０６の一端は、横断部４０２１を引掛けるためのフック部４０６１を有して、第１バネ４０３の弾性力が復帰する際に、操作レバー４０６が貫通孔から抜けることを防止できて、また、第１バネ４０３が弛みになること防止できる。ボタン４０１が押されると、操作部材４０２と操作レバー４０６とは共に係合部材４０４を時計方向に回動させて、係合部材４０４を巻き取りホイール２０の歯状溝２０１に係合させており、ボタン４０１が離されると、係合部材４０４は、第１バネ４０３の弾性によってリセットされる。
【００２５】
具体的に、巻き取りホイール２０は、ハウジング１０内の中心軸１０２にスリーブされて、巻き取りホイール２０は、中心軸１０２を中心として時計回りまたは反時計回りに回転して、リーシュコード３０を引き出したり巻き取ったりすることができる。
【００２６】
ハウジング１０の一方の側部が、一体成型的のハンドル部１０３を有して、ハンドル部１０３が、人間の手に適合した湾曲部１０３１を備えて、好ましくは、ハンドル部１０３は、軟質ゴムスリーブ（図に示さず）で覆われる。一体成型的のハンドル部１０３と湾曲部１０３１は、使用者にとってより快適な感触を提供して、軟質ゴムスリーブで覆われたハンドル部１０３は、大いに手の保護を向上させる。
【００２７】
ハウジング１０には、軟質ゴム部材５０が設けられてあって、、軟質ゴム部材５０の筒状部（図に示さず）が取付孔に挿入されて、軟質ゴム部材５０の露出部分がハウジング１０と密着しているため、ボタン４０１を保護する作用があって、摩擦力を減らすことができる。
【００２８】
実際には、図１及び図２に示すように、フリー状態でペットにリーシュコード３０を自由に伸ばすことができる。図３及び図４に示すように、飼い主は、ペットを封じ込める場合に、ボタン４０１を押して巻き取りホイール２０を暫く停止させることができる。図５及び図６に示すように、飼い主は、リーシュコード３０を巻き取りたい場合、ボタン４０１を長時間で押すだけで、巻き取りホイール２０を一時に停止させた後、内部にあるトーションスプリングの反動を利用して、巻き取りホイール２０を時計回りに回転して、また、巻き取りホイール２０が時計回りに回転すると、歯状溝２０１によって、係合部材４０４が押し戻されて、それによって、第１バネ４０３が圧縮状態にあり、この時、リーシュコード３０を巻き取らせる。図７及び図８に示すように、リーシュコード３０から引き出された長さをロックしたい時、ただボタン４０１を押して前方にトグルして、ボタン４０１の段差部４０１１をハウジング１０中の突起部１０１に係止ロックさせて、巻き取りホイール２０を暫く停止して、リーシュコード３０を一時停止の状態にすること達する。
【００２９】
要すると、本発明によるペットのリーシュ装置は、ハウジング１０と、巻き取りホイール２０と、リーシュコード３０と、更にロック機構４０を含み、ロック機構４０は、ボタン４０１と、操作部材４０２と、第１バネ４０３と、係合部材４０４とを備えて、操作部材４０２は、順番に接続されている横断部４０２１と、縦長部４０２２とを備えている。ボタン４０１が押されてから、係合部材４０４が巻き取りホイール２０の歯状溝２０１に係合されているため、巻き取りホイール２０を反時計回りに回転させることができず、この時、巻き取りホイール２０の内部にあるトーションスプリングが反動しているため、巻き取りホイール２０を時計方向に回転させてリーシュコード３０を引き込める。ボタン４０１を押してからボタン４０１を前方にトグルして、係合部材４０４が巻き取りホイール２０の歯状溝２０１に係合されて、同時に、ボタン４０１上の段差部４０１１は、ハウジング１０中の突起部１０１と係止ロックして、ボタン４０１をリバウンドできないようにする。この時、リーシュコード３０は、引き出したり、巻き取ったりすることができない。一時停止機能を解除するには、ただボタン４０１を押して後方にトグルして、ボタン４０１をボタン４０１をリセットしてフリー状態に戻す。
【００３０】
本領域の普通の技術人員にとって、本発明の技術解決方法に対する他の改変または均等物が、本発明の技術解決方法の精神および範囲から逸脱しない限り、全ては、本発明の請求項の範囲に包含されるべきである。
【符号の説明】
【００３１】
１０          ハウジング
１０１        突起部
１０２        中心軸
１０３        ハンドル部
２０          巻き取りホイール
２０１        歯状溝
３０          リーシュコード
４０                     ロック機構
４０１                 ボタン
４０１１             段差部
４０２                 操作部材
４０２１             横断部
４０２２             縦長部
４０２３             ウエスト孔
４０３                 第１バネ
４０４                 係合部材
４０５                 第２のバネ
４０６                 操作レバー
４０６１             フック部
４０４１             車輪係合部
５０                     軟質ゴム部材
【図１】
2019521714.tif 000003
【図２】
2019521714.tif 000004
【図３】
2019521714.tif 000005
【図４】
2019521714.tif 000006
【図５】
2019521714.tif 000007
【図６】
2019521714.tif 000008
【図７】
2019521714.tif 000009
【図８】
2019521714.tif 000010
【図９】
2019521714.tif 000011
【図１０】
2019521714.tif 000012
【国際調査報告】
2019521714.tif 000013
2019521714.tif 000014
2019521714.tif 000015
2019521714.tif 000016